(57)【要約】  ヘヤースタイリング用具は、本体、前記本体に対して回転可能に前記本体から伸長したシリンダ、前記シリンダを回転させるモータ、前記シリンダを加熱するヒータ、および前記本体に軸回転可能に取付けられたスタイリングアームを含む。前記ヘヤースタイリング用具は概ね二枚貝形態を有し、前記スタイリングアームは、前記スタイリングアームが前記シリンダと接触しない開放位置と前記スタイリングアームが前記シリンダと接触する閉鎖位置間を移動可能である。前記スタイリングアームは、固定されているかまたは進退自在の剛毛を有するブラシヘッドかつ／またはスムーシングプレートを含んでよい。
2009527338.tif 000002
【特許請求の範囲】
【請求項１】
本体、
前記本体に対して回転可能でありかつ前記本体から伸長したシリンダ、
前記シリンダを回転させるモータ、および
前記本体に取付けられたスタイリング（styling）アームを含み、
前記スタイリングアームは前記シリンダに接触する構成であり、前記スタイリングアームは前記スタイリングアームが前記シリンダと接触しない開放位置と前記スタイリングアームが前記シリンダと接触する閉鎖位置間を移動可能である、ヘヤースタイリング用具。
【請求項２】
前記スタイリングアームは、スムーシング(smoothing)プレートを含む、請求項１のヘヤースタイリング用具。
【請求項３】
前記スタイリングアームはブラシヘッドを含む、請求項１のヘヤースタイリング用具。
【請求項４】
前記ブラシヘッドは、
スムーシングプレート、および
複数の剛毛を含み、
前記剛毛は、剛毛が前記スムーシングプレートから突出する伸張位置と、前記スムーシングプレートに対して剛毛が後退する収縮位置間を移動可能である、請求項３のヘヤースタイリング用具。
【請求項５】
前記ブラシヘッドは、複数の剛毛が伸長したブレードを更に含む、請求項４のヘヤースタイリング用具。
【請求項６】
前記シリンダを加熱するヒータを更に含む、請求項１のヘヤースタイリング用具。
【請求項７】
本体、
前記本体に対して回転可能でありかつ前記本体から伸長したシリンダ、
前記シリンダを回転させるモータ、および
前記ヘヤースタイリング用具が概ね蝶番留めされた形態に有するように前記本体に軸回転可能に取付けられたスタイリングアームを含むヘヤースタイリング用具であって、
前記スタイリングアームは、前記スタイリングアームが前記シリンダと接触しない開放位置と前記スタイリングアームが前記シリンダと接触する閉鎖位置間を移動可能であり、
前記スタイリングアームはブラシヘッドを含む、ヘヤースタイリング用具。
【請求項８】
前記シリンダを加熱するヒータを更に含む、請求項７のヘヤースタイリング用具。
【請求項９】
前記シリンダは熱の分散のための表面孔を有する、請求項８のヘヤースタイリング用具。
【請求項１０】
前記ブラシヘッドはスムーシングプレートおよび剛毛を含み、
前記剛毛は、剛毛が前記スムーシングプレートから突出する伸張位置と、前記スムーシングプレートに対して剛毛が後退する収縮位置間を移動可能である、請求項７のヘヤースタイリング用具。
【請求項１１】
前記ブラシヘッドは、前記剛毛が伸長したブレードを更に含む、請求項１０のヘヤースタイリング用具。
【請求項１２】
前記ブラシヘッドは、第一および第二ノブ位置を有する剛毛解放(release)ノブを更に含み、前記剛毛解放ノブは前記ブレードに接触して、第一ノブ位置のときに前記剛毛を伸張位置へ移動させ、かつ第二ノブ位置のときに収縮位置へ前記剛毛を移動させるにように構成されている、請求項１１のヘヤースタイリング用具。
【請求項１３】
前記シリンダは複数の溝を有する、請求項７のヘヤースタイリング用具。
【請求項１４】
本体、
前記本体に対して回転可能でありかつ前記本体から伸長したシリンダ、
前記シリンダを回転させるモータ、
前記シリンダを加熱するヒータ、および
前記本体に軸回転可能に取付けられたスタイリングアームを含むヘヤースタイリング用具であって、
前記スタイリングアームは、前記スタイリングアームが前記シリンダと接触しない開放位置と前記スタイリングアームが前記シリンダと接触する閉鎖位置間を移動可能であり、
前記スタイリングアームはスムーシングプレートを含む、ヘヤースタイリング用具。
【請求項１５】
前記シリンダは複数の溝を有する、請求項１４のヘヤースタイリング用具。
【請求項１６】
前記シリンダは熱の分散のための表面孔を有する、請求項１４のヘヤースタイリング用具。
【請求項１７】
前記スムーシングプレートは取外し可能である、請求項１４のヘヤースタイリング用具。
【請求項１８】
前記スムーシングプレートは複数の剛毛を更に含む、請求項１４のヘヤースタイリング用具。
【請求項１９】
前記剛毛は、前記スムーシングプレートに対して伸縮自在である、請求項１８のヘヤースタイリング用具。
【請求項２０】
本体、
前記本体に対して回転可能でありかつ前記本体から伸長したシリンダ、
前記シリンダを回転させるモータ、
前記シリンダを加熱するヒータ、および
前記スタイリングアームは、ヘヤースタイリング用具が概ね蝶番留めされた形態を有するように前記本体に軸回転可能に取付けられたスタイリングアームを含むヘヤースタイリング用具であって、
前記スタイリングアームは、前記スタイリングアームが前記シリンダと接触しない開放位置と前記スタイリングアームが前記シリンダと接触する閉鎖位置間を移動可能であり、
前記スタイリングアームはブラシヘッドを含み
前記前記ブラシヘッドは、
スムーシングプレートおよび複数の剛毛を含み、
前記剛毛は、剛毛が前記スムーシングプレートから突出する伸張位置と、前記スムーシングプレートに対して剛毛が後退する収縮位置間を移動可能である、ヘヤースタイリング用具。
【請求項２１】
前記ブラシヘッドは前記剛毛が伸長したブレードを更に含む、請求項２０のヘヤースタイリング用具。
【請求項２２】
前記ブレードは、前記ブラシヘッドから取外し可能である、請求項２１のヘヤースタイリング用具。
【請求項２３】
各ブレードが異なる剛毛形態を有する、複数の相互交換可能ブレードを更に含む、請求項２２のヘヤースタイリング用具。
【請求項２４】
複数の相互交換可能ブラシヘッドを更に含む、請求項２０のヘヤースタイリング用具。
【発明の詳細な説明】
【技術分野】
【０００１】
本発明は、ヘヤースタイリング用具、更に具体的には、使用者による一層効率的かつ効果的なヘヤーブラッシングを可能にしかつ更に効果的なヘヤースタイル作りを可能にするヘヤースタイリング用具に関する。
【背景技術】
【０００２】
ヘヤーブラッシングは頭皮領域から油を奪いかつ髪のボリュームを増して髪全体に油を拡げ、髪に光沢を与え、かつ髪の健康を維持する。更に髪のボリュームを増すのに加えまたは特に様々なヘヤースタイルを作るために、多くの人は髪をブラシッグしながら髪をブローで乾燥させる。髪をブロー乾燥すると同時にブラシッグするときに、髪からヘヤーブラシの剛毛を引っ張りかつ温風等の熱を髪へ直接加えることにより、所望結果を達成する。ブラシッグの一方法は、ブラシの部分的回転を含み、そのようにして剛毛を髪へ通過させる。使用者は、通常、手動により約半回転ブラシを回転させ、半回転ごとに、髪からブラシを引っ張る。そのようにして、ブラシは、通常は前の場所に隣接する新しい場所へ移動し、そしてかかる処理が繰り返される。種々のブラシは改良されたヘヤーブラシッグ手段として開発されている。かかるブラシの例示形態がMarinoによるＵＳ特許第６０９８６３５号に開示され、その全内容がここに参考として組み込まれる。
【０００３】
頭皮の全領域にわたり均等に回転を実行することは、必要箇所へ使用者が手を回転させることが不自然であるために、困難である。特に、髪をブローにより乾燥することは上げた腕を頭の周りに延ばすことを要求しかつ適正な捩じりまたは回転をブラシに付与することはその位置では非常に困難である。ドライヤを目的としながらブラシッグ運動を調和させることがその困難性に加わる。床屋およびヘヤースタイリストは、人の頭に対応して移動できるので、相対的に容易にさまざまな位置へ到達できる。
【０００４】
ヘヤーブラシッグに加え、ストレートヘヤーをカールしまたはカーリーヘヤーをストレートにする等特別な方法でヘヤースタイルを決めたいと望む場合がある。通常、ブラシに加えて分離の装置がカール、ストレートまたは他のヘヤースタイルに必要である。
【０００５】
【特許文献１】ＵＳ特許第６０９８６３５号
【発明の開示】
【０００６】
［発明の概要］
本発明による例示形態において、ヘヤースタイリング用具は、本体、前記本体から伸長しかつ前記本体に対して回転可能であるシリンダ、前記シリンダを回転させるモータ、および前記本体に取付けられたスタイリング（styling=スタイルもくしは型を作る）アームを含む。前記スタイリングアームは前記シリンダに接触する構成であってよく、かつ前記スタイリングアームは前記スタイリングアームが前記シリンダと接触しない開放位置と前記スタイリングアームが前記シリンダと接触する閉鎖位置間を移動可能であってよい。前記スタイリングアームは、ブラシヘッドかつ／またはスムーシング(smoothing=滑らかにする)プレートを含んでよい。例示形態において、前記ヘヤースタイリング用具は蝶番留めされた形態または二枚貝形態であってよい。
【０００７】
前記ヘヤースタイリング用具のブラシヘッドは、ブラシヘッドハウジング、前記ブラシヘッドハウジング内に収容されたスムーシングプレート、および複数の剛毛が上に形成されたブレードを含み、前記ブレードは前記ブラシヘッドハウジングと前記スムーシングプレート間に位置決めされている。前記剛毛は、剛毛が前記スムーシングプレートから突出する伸張位置と、前記スムーシングプレートに対して剛毛が後退する収縮位置間を移動可能であってよい。前記ブラシヘッドハウジングは剛毛解放(release)ノブを含み、前記剛毛解放ノブは前記ブレードに接触してブレードを伸張位置に維持し、かつ前記剛毛解放ノブは移動可能であって前記ブレードから離隔してブレードを、剛毛が後退する収縮位置へ設置する。
【０００８】
前記ヘヤースタイリング用具は前記シリンダを加熱するヒータを更に含んでよい。前記シリンダは熱を分散する表面孔を有し、かつ前記シリンダとブラシヘッドまたはスムーシングプレートとの間に付加的摩擦を提供する複数の溝または他のタイプの刻み目を有してよい。
【０００９】
一例示形態において、前記ブレードは、前記ブラシヘッドから取外し可能であり、かつ異なる剛毛パターン、密度および長さ、または剛毛を全く具備しない等の複数の異なるブレードの一つと交換可能である。更に、他の例示形態として、前記ブラシヘッドは取外し可能であり、かつ複数の異なるブラシヘッドの一つと交換可能である。
【発明を実施するための最良の形態】
【００１０】
図１を参照すると、ヘヤースタイリング用具２０は、細長い本体２２を有する。本体の特定寸法は臨界的でないが、本体は、概ね、使用者が使用時に快適にヘヤースタイリング用具を保持できるものでなければならない。一例示形態において、本体２２は、詳細に後述するように、ヘヤースタイリング用具２０の他の機械的そして電気的構成要素を収容できるものであってよい。
【００１１】
図２を参照すると、ヘヤースタイリング用具２０の一例示形態において、取付けチャンネル７２は本体２２の先端から延在する。ここで使用される『先端』は、概ね、本体２２のベースから離れる位置または方向を意味し、または取付けチャンネル７２の先端へ向かう位置または方向を意味する。反対に、『基端』は、概ね、本体２２のベースへ向かう位置または方向、または温風チャンネル７１の先端から離れる位置または方向を意味する。更に後述するように、取付けチャンネル７２は取付けチャンネル上に回転可能に取付けられるシリンダ２４に付加的支持を提供する作用をする。
【００１２】
図１を再度参照すると、一例示形態において、温風チャンネル７１は本体２２に収容された温風ファン組立体４４に連結され、温風ファン組立体４４により提供される温風が温風チャンネルを介して本体へ移動するように本体２２内に収容される。本体２２内への吸い込みポート７０は外部空気を温風ファン組立体４４の入り口へ吸い込む。温風チャンネル７１の先端の開口８２は、温風を本体２２から逃がして、例えば後述する本体の先端へ取付けられるシリンダの侵入を可能にする。温風スイッチ４２は温風ファン組立体４４へ電気的に接続され、温風ファン組立体４４により供給される温風の使用者による制御を可能にする。
【００１３】
細長い中空シリンダ２４が取付けチャンネル７２上方に回転可能に取付けられてよい。取付けチャンネル７２は溝８１を含み、シリンダのキャップ２７から溝８１へ歯８３が突出し、スナップ係止してシリンダ２４を取付けチャンネル７２に取付ける。シリンダのベース２５は本体２２の先端に連結できる構成であってよい。一例示形態において、シリンダ２４のベース２５は滑り嵌めにより本体２２に連結される。一例示形態において、ベース２５の内周上の歯（図示せず）は、本体２２の先端でシリンダ駆動ギア５０上の歯と噛み合ってシリンダ２４を本体に整列させる。シリンダ２４の先端はシリンダの先端を封鎖するためのキャップ２７を含み、かつ例えば温風チャンネル７１から提供される温風がシリンダの先端から逃げるのを阻止してよい。キャップ２７は、上述のごとく、シリンダを取付けチャンネル７２へ取付けかつ縛り嵌めにより固定させる歯８３を含んでよい。キャップ２７の特定形状または寸法は、キャップが実質的にシリンダ２４の先端を被覆しかつ空気の相当量を先端から逃げるのを阻止する限りにおいて臨界的でない。
【００１４】
一例示形態において、シリンダ２４は複数の孔３０を有し、孔３０は温風チャンネル７２からヘヤースタイリング用具２０の外部への温風の流出を可能にしてシリンダに隣接する髪との接触を可能にする。一例示形態において、孔３０は円形でありシリンダ２４全体にわたって均等に離隔して配置される。シリンダ２４全体にわたる孔の均一配置は、シリンダ２４にわたる温風の均等分配を可能にすると共にシリンダの均一加熱を可能にして、更に後述するように、シリンダが髪に適用されるときに、均一乾燥を可能にする。孔３０の一形態がここに開示されているが孔の特定形態は臨界的でなく、孔３０は温風チャンネル７２からシリンダ２４へ温風を移動させるいずれの形態に配置されてもよい。更に、孔３０はここでは円形として説明されているが、孔の形状は任意である。孔３０はブラシヘッドハウジングとシリンダ間の摩擦を増大し、髪のブラシッグ効果を高める作用をする。
【００１５】
図３Ａ−３Ｄを参照すると、シリンダ２４の他の例示表面パターンが示されている。これらのパターンは、概ね、波形溝５４ａ，５４ｂ，５４ｃ，５４ｄであり、シリンダ表面に沿って摩擦を変化させることが可能であり、更に詳細に後述するように、シリンダ２４とスムーシングプレート１０８との間に髪を置くときに異なるスタイリングの選択を可能にする。溝はシリンダ２４上に採用されてよく、複数の孔３０を有する（説明のために孔は図示されていない）。図３Ｄを参照すると、シリンダ２４に接触するように構成されたスムーシングプレート１０８は、ブラシヘッドハウジングとシリンダ間の摩擦を更に増大するための溝５５を含んでよい。
【００１６】
ヘヤースタイリング用具２０の回転組立体について図１を参照して説明する。電動モータ３９は本体２２内に収納されてよく、シリンダ２４を回転させるように構成される。一例示形態において、電動モータは、本体２２の長手に沿って延在する駆動シャフト４６を励起する。駆動ギア４８は駆動シャフト４６の先端に設置されてよく、駆動ギアはシリンダギアドライブ５０と相互作用するように構成され、駆動ギア４８が駆動シャフト４６により回転するときに、シリンダギアドライブ５０は同様に回転する。シリンダ２４がシリンダギアドライブ５０と相互作用するときにシリンダはシリンダギアドライブと同一方向へかつ同一速度で回転する。一例示形態において、電動モータ３９は、使用者により調整された設定に基づいて異なる速度で駆動シャフト４６を励起するように構成される。
【００１７】
一例示形態において、電動モータ３９は、駆動シャフト４８をいずれの方向へも回転させることができるように可逆的である。回転方向スイッチ４１は電動モータ３９に電気的に接続されて電動モータ３９の方向の使用者設定を可能にする。電動モータ３９は、例えば、電力コード４０、充電可能バッテリ、または電動モータ３９を印加できるエネルギを発生する他の手段からの電力により動力印加されてよい。作動スイッチ３８は、電動モータ３９を作動させ、シリンダ２４の回転を駆動するために使用できる。作動スイッチ３８はブラシ上の何処に設置されてもよいが、一例示形態において、この回転スイッチは所定位置に設置され、後述するように、ピボットハンドル３６が閉鎖位置のときに作動するようにする。ギアを含む特定システムが電動モータ３９によりシリンダ２４を回転させるために説明されているが、当業者は駆動システムについて他の多くの形態が実質的同一方法で同一結果を達成することを理解するであろう。
【００１８】
細長いスタイリングアームがヘヤースタイリング用具２０の本体２２に取付けられてよい。一例示形態において、スタイリングアームはブラシヘッド２６であってよい。ブラシヘッド２６は、ブラシヘッドの表面上に取付けられかつシリンダ２４の外面へ向かって突出した剛毛２８のアレイを含む。ブラシヘッド２６は温風の侵入、または温風かつ／またはブラシヘッドが危険なほど熱くなることを防止するために蒸気を逃がす通気孔３２を含む。例示ブラシヘッド２６の通気パターンは図４に示されている。
【００１９】
一例示形態において、図４に示されたように、ブラシヘッド２６は窪んだ構造を有し、ブラシヘッドは概ねシリンダ２４の曲率に適合し、効果的ブラシッグ面を最適にする。他の例示形態において、ブラシヘッド２６は、約２０°から約４５°間の角度に跨がってシリンダ周面の一部に延在するような幅を有する。ブラシヘッド２６は交換可能剛毛ブレード３１を受けかつ固定するように構成され、使用者が種々のブレード、例えば、異なる幅、異なる剛毛密度、および異なる剛毛テキスチャ（textures）等から選択できるようにする。ブラシヘッド２６は、ブラシヘッドの内側に沿って設けられた溝２９を含み、溝２９は交換可能剛毛ブレード３１を摺動可能に受けかつ固定できるように構成されてよい。
【００２０】
図１を再度参照すると、ブラシヘッド２６は、本体２２へ枢軸回転可能または他の移動可能に取付けられてよい。更に具体的には、ブラシヘッド２６はレバーアーム３４の先端に取付けられてよく、レバーアーム３４は、例えば横切る方向のブラシヘッドピボットピン３５により、本体２２へ軸着されてよい。ブラシヘッド２６は、ブラシヘッド２６がシリンダ２４から離隔する開放位置、およびブラシヘッド２６、そして特に剛毛２８がシリンダと接触する閉鎖位置（図５）を有してよい。バネ等の付勢手段８４は、ブラシヘッド２６を開放位置へ付勢することができる。ピボットハンドル３６は、使用者がブラシヘッド２６を開放位置から閉鎖位置へ移動できるようにするために設けられ、ピボットハンドル３６はピボットハンドルピボットピン３７により本体２２へ軸着される。一例示形態において、ピボットハンドルピボットピン３７に回転可能に連結されたピボットハンドルギア５０は、ブラシヘッドピボットピン３５に回転可能に連結されたブラシヘッドへギア５２に連結される。ピボットハンドル３６は、ブラシヘッド２６が開放位置のときにピボットハンドルが開放位置になり（即ちピボットハンドルの基端が本体２２から離隔する）、かつブラシヘッドが閉鎖位置のときにピボットハンドルが閉鎖位置になる（即ちピボットハンドルの基端が本体と接触または実質的に接触する）（図５）ように配設される。従って、ブラシヘッド２６が開放位置へ付勢されるときに、ピボットハンドル３６は同様に開放位置へ付勢される。ピボットハンドルギア５０とブラシヘッドギア５２の相互作用により、ピボットハンドル２６が開放位置から閉鎖位置へ移動するときにブラシヘッド２６は同時に開放位置から閉鎖位置へ移動する。
【００２１】
図６を参照すると、ヘヤースタイリング用具１２０の他の例示形態は、先の例示形態に類似の取付けチャンネルに回転自在に取付けられたシリンダ１２４に熱を供給できる加熱ロッド６０等の加熱要素を含む。加熱ロッド６０は、電力コード４０等の動力源に電気的に接続され、動力源は熱を発生する能力を加熱ロッド６０に付与する。加熱要素スイッチ６２が本体２２上に設けられ、使用者による加熱ロッド６０の作動および作動停止を可能にする。
【００２２】
シリンダ１２４は、シリンダの内周面に取付けられかつシリンダの加熱ロッド６０上方の摺動および加熱ロッド６０との接触を可能にする構成の熱伝達組立体６４を含む。熱伝達組立体６４は、例えばプラスチック、金属、セラミック、またはそれらの任意組合せによる適宜熱移送材料であってよい。従って、加熱ロッド６０が加熱されると、熱は加熱ロッドから熱伝達組立体６４へそしてシリンダ１２４の外面へ伝導により移送される。シリンダ１２４は、例えば凹状刻み目または凸状突起等の複数の孔６６を含み、孔はシリンダ回転時に髪との係合を促進する。一例示形態において、シリンダ１２４の外面は、シリンダ回転時に髪とシリンダ間の摩擦を増大するために僅かに波打っている。熱伝達組立体６４を含む特定加熱システムが熱を加熱ロッド６０により回転シリンダ１２４に伝導するために説明されているが、当業者は、６４で示されたような熱伝達組立体を必要としない放射熱要素を加熱ロッド６０の代りに使用する等により、加熱システムの他の形態が実質的同一方法により同一結果を達成することを理解するであろう。
【００２３】
図７を参照すると、スタイリングアームは折り畳み可能もしくは伸縮自在（collapsible)剛毛組立体を有するブラシヘッド１００を含む。図８Ａ，８Ｂ，８Ｃを参照すると、ブラシヘッド１００は、ブラシヘッドハウジングの両側に沿って長手方向に延在する溝１２１へスムーシングプレート１０８を摺動可能に受ける構成のブラシヘッドハウジング１０４を含む。スムーシングプレートは加熱可能であり、一例示形態において、ブラシヘッドハウジングはスムーシングプレート１０８に電気的に接続される一体化されたプラグを含む。動力がプラグに供給されると、プラグはスムーシングプレート１０８を加熱し、更に詳細に後述するようにスムーシングプレートにカーリングアイロンまたはストレートアイロンに類似の作用をさせる。
【００２４】
更に、図８Ａ−８Ｃをする参照すると、ブラシヘッドハウジング１０４は、剛毛群１０６および剛性ポスト１０７を含むブレード１０５を摺動可能に受けるように構成される。一例示形態において、ブレード１０５は、ブレードに沿って長手方向に延在しかつ概ね凹状断面を有する複数の伸縮自在部材１２３を含む。伸縮自在部材１２３は、剛毛１０６がスムーシングプレート１０８から突出する伸張位置（図８Ａ）と、剛毛がスムーシングプレートに対して後退する収縮位置、即ち、スムーシングプレート内にまたは実質的同一面で受けられる（図８Ｂ）。伸縮自在部材１２３は、伸張位置へ付勢されるが、付勢を克服する力により収縮位置へ変形されてよい。特に、図８Ａに矢印で示されたように十分な圧縮力が剛性ポスト１０７へブレード１０５の平面に対して概ね垂直に加えられるときに、伸縮自在部材１２３は曲折して剛毛１０６およびポスト１０７をブラシヘッドハウジング１０４内に凹ませかつスムーシングプレート１０８が比較的平滑面を形成するようにする。そのようにして、ヘヤーブラシはストレーティングアイロンまたはカーリングアイロンとして作用する。
【００２５】
ヘヤースタイリング用具の他の例示形態は、図８Ｄに示されている。スタイリングアーム２００はハウジング２２３を含み、ハウジング２２３はハウジングの両側に沿って長手方向に延在する溝２２１へスムーシングプレート２０８を摺動自在に受けるように構成される。スムーシングプレート２０８は剛毛を含まず、かつ加熱可能であり、一例示形態において、ハウジング２２３はスムーシングプレートを電気的に加熱するために一体化されたプラグを含む。動力がプラグへ供給されると、そのヒータはスムーシングプレート２０８を加熱してスムーシングプレートの更に効果的に髪をスタイリングするための使用を可能にする。
【００２６】
ブラシヘッド１１０の他の例示形態を図９Ａ，９Ｂ，９Ｃを参照して説明する。ブラシヘッド１００と同様に、ブラシヘッド１１０はブラシヘッドハウジング１１２を含み、ハウジング１１２はハウジングの両側に沿って長手方向に延在する溝１３１へ加熱可能スムーシングプレート１１５を摺動自在に受けるように構成される。ブラシヘッドハウジング１１２は、スムーシングプレート１０８に電気的に接続される一体化されたプラグ１０３を含んでよい。
【００２７】
ブラシヘッドハウジング１１２は、剛毛１１４を含むブレード１１３を摺動可能に受けるように構成される。ブラシヘッドハウジング１１２は、ブラシヘッドハウジングの平面上に形成された解放ノブスロット１３３へ受けられる剛毛解放ノブ１１１ａ／１１１ｂを含む。特に、図９Ｃを参照すると、解放ノブ１１１ａのカバー１１６は、剛毛１１４がスムーシングプレート１１５から突出するような伸張位置にブレード１１３を設置するためにブレード１１３の背骨１３４と接触する。背骨１３４はブレード１１３の一部に沿って延在する。解放ノブ１１１ｂが解放ノブスロット１３３に沿って先端方向に解放位置まで摺動すると（即ち背骨のないブレード部分に沿った位置）、ブレードの平面に概ね垂直に加わる圧縮力が剛毛１１４のブラシヘッドハウジング１１２への凹みを可能にする（図９Ｂ）。そのようにしてヘヤーブラシはカーリングアイロンまたはストレーティングアイロンとして使用できる。
【００２８】
本発明によるブラシヘッド４００の他の例示形態は図１２に示されている。
ブラシヘッド４００は、ブラシヘッドの形態を変化させることなくブラシと一体化したスムーシングプレートを組合せたブラシヘッドに関する。更に具体的には、ブラシヘッド４００は、複数のブラシヘッドハウジングセクショクン４０２を含み、各ハウジングセクションは剛毛４０８を含むブレード４０４を摺動可能に、ハウジングセクションに沿って長手方向に延在する溝４１０に受けるように構成される。一例示形態において、ブラシヘッド４００は二つのハウジングセクション４０４を含むが、ハウジングセクションの数量は臨界的でない。ブラシヘッド４００は、隣接するハウジングセクション４０４間にスムーシングプレートセクション４１２を含み、スムーシングプレートセクションはブラシヘッドが図１２に示されたように閉鎖位置のときにシリンダ２４と接触する平面を有する構成である。一例示形態において、スムーシングプレートセクション４１２は、シリンダと実質的同一程度に湾曲した凹面を有し、そのようにしてスムーシングプレートセクションはブラシヘッドが閉鎖位置のときにシリンダと実質的に完全接触する。ブラシヘッド４００は一体化したプラグおよびブラシヘッドの電気的加熱を可能にする加熱要素を含んでよい。
【００２９】
本発明の他の例示形態が図１０に示されている。既に説明したヘヤースタイリング用具と実質的類似のヘヤースタイリング用具３２０が示されている。ヘヤースタイリング用具３２０は、ワンピース可動ブラシヘッド組立体３３０を含む。ブラシヘッド組立体３３０は、レバーアーム３９０の先端に取付けられたブラシヘッド３２６を含む。レバーアーム３９０は、概ね『Ｓ』字形または上下逆の『Ｚ』字形である。レバーアーム３９０は横切る方向のピボットピン３９１によりヘヤースタイリング用具３１０に回転可能に連結されている。ピボット予荷重バネ３９２はレバーアーム３９０を、ブラシヘッド３２６がシリンダ３２４から離隔する開放位置へ付勢する。バネ付勢を克服する力がレバーアーム３９０に加わるときに、レバーアームは開放位置から、ブラシヘッド３２６がシリンダ３２４と接触する閉鎖位置へ移動可能である。ヘヤースタイリング用具３２０の本体３２２は、レバーアーム３９０の開放位置と閉鎖位置間の移動を可能にするスロット３２３を含んでよい。シリンダ回転スイッチ３３８は、レバーアームが閉鎖位置のときに作動し、かつレバーアームが開放位置のときに作動停止するために設けられてよい。
【００３０】
当業者に理解されるように、『Ｓ』字形レバーアームの形態は、上述のいずれのスタイリングアームにも使用できる。
【００３１】
本発明の他の例示形態を図１１を参照して説明する。ヘヤースタイリング用具１４９は、本体１５２および本体に軸回転可能または他の移動可能に取付けられたスタイリングアーム１５１を含む『二枚貝』形態または蝶番留めされた形態を有する。一例示形態において、スタイリングアーム１５１は、ピボットピン１５３により取付けられてよい。ピボットピン１５３は、スタイリングアーム１５１と本体１５２間で制限された範囲の回転のみをするように設計されてよい。例えば、最大回転量は約６０°であってよい。上述のヘヤースタイリング用具の形態と同様に、本体１５２は回転可能シリンダ１５７を含み、かつスタイリングアーム１５１はブラシヘッド１５０を含む。一例示形態において、シリンダ１５７およびブラシヘッド１５０の加熱を制御するための加熱要素スイッチ１５５、およびシリンダの回転を制御するための回転スイッチ１５６がスタイリングアーム１５１上に設けられる。ただし、かかるスイッチの設置場所に制限はなく、これらのスイッチは使用者アクセスに便利な場所であってよい。ヘヤースタイリング用具１４９は動力コード１５４を介して電気的に励起されてよい。
【００３２】
一例示形態において、スタイリングアーム１５１は、スタイリングアームがシリンダ１５７と接触しないような開放位置へ、例えば、バネにより付勢されてよい。スタイリングアームがシリンダと接触する閉鎖位置へスタイリングアームを設置するために、付勢を克服する力がスタイリングアーム１５１へ加えられてよい。
【００３３】
ヘヤースタイリング用具２０の操作および使用について図１および５を参照して説明する。ヘヤースタイリング用具は、ブラシヘッドが開放位置のときに（図１）ブラシヘッド２６とシリンダ２４間に髪の選択した部分を置くことにより使用できる。次に、ピボットハンドル３６を開放位置から閉鎖位置へ移動し、結果として同時にブラシヘッド２６を開放位置から閉鎖位置へ移動する。ブラシヘッド２６を閉鎖位置へ置くことによりブラシヘッドがシリンダ２４とブラシヘッドの剛毛２８間で髪の選択部分を挟む。更に、一例示形態において、ピボットハンドル３６を閉鎖位置にすることより回転スイッチ３８がトリガされてシリンダ２４の回転を起動する。このようにして、いずれの長さの髪も、大してもつれることなくブラシッグ、シェイピング（shaping)、スタイリング(styling)される。明らかなように、種々の他の形態のヘヤースタイリング用具が同様に使用できる。即ち、スタイリングアームが開放位置のときに髪はスタイリングアームとシリンダ間に設置され得る。髪が所定位置に一旦設置されたならば、スタイリングアームを閉鎖位置へ移動して髪を捕捉かつスタイリングする。シリンダの回転方向が可逆的である形態において、使用者は手でブラシを使用するか、または髪に対して同一方向へシリンダを回転させながら頭のいずれかの側からブラシを使用することができる。
【００３４】
ブラシッグ、シェイピングおよびスタイリング効果は、例示形態のブラシに連結した加熱装置を使用することにより促進される。特に、温風ファン組立体４４または加熱ロッドがシリンダ２４を回転させながらシリンダを加熱するために使用され得る。付加的または選択的に、ブラシヘッド１００，１１０，２００，４００の加熱可能スムーシングプレート１０８，１１５，２０８，４１２が加熱される。シリンダ２４かつ／またはブラシヘッド１００，１１０，２００，４００により髪に加えられる熱は髪を迅速に乾燥させないが、髪に滑らかなボリュームと健康な輝きを与える。
【００３５】
図８Ａ−８Ｃを参照すると、使用者が装置をカーリングアイロンまたはフラットーアイロンとして使用することを望む場合に、スムーシングプレート１０８に対する概ね垂直の圧縮力をブレード１０５に加えて剛毛１０６を収縮位置にする。収縮位置において、ブラシヘッドの剛毛１０６はスムーシングプレート１０８に対して後退する、即ちスムーシングプレート内に凹むかスムーシングプレートに融合する。従って、スムーシングプレートはスムース面を有し、シリンダ２４かつ／またはブラシヘッドを介する加熱を伴い、装置のスムーシング、ストレーティング、またはカーリングアイロンとしての使用を可能にする。図９Ａ−９Ｃに示された他の形態において、使用者は解放ノブ１１１をスロット１３３に沿って所定位置１１１ａから所定位置１１１ｂへ先方へ摺動させて、ブレード１１３の背骨１３４を解放ノブ１１１のカバー１１６と接触しないようにする。次に、使用者は圧縮力をブレード１１３に加えて剛毛１１４の端をスムーシングプレートに対して後退させる。
【００３６】
図１１および１２を参照すると、加熱されたフラットアイロンセクション４１２との関係で固定された剛毛群４０８の組合せは、ブラシヘッド４００の形態を変更することなく、使用者が髪をブラシッグすると同時にスムーシングし、ストレーティングまたはカーリングすることを可能にする。
【００３７】
ブラシヘッド、シリンダ、およびヘヤーブラシの形態の種々の実施形態について説明したが、当業者に理解されるように、異なるブラシヘッドかつ／またはブレードが異なるヘヤースタイリング用具に使用できる。更に、付加的な相互交換可能なブラシヘッドまたはブレードが基礎となるヘヤースタイリング用具と共にキットとして提供できる。更に、特定手段および形態が説明されたが、かかる手段および形態は特許請求の範囲内で変更可能である。
【図面の簡単な説明】
【００３８】
【図１】回転自在シリンダおよび可動スタイリングアームを有する本発明による例示ヘヤースタイリング用具の一部断面を含む側面図である。
【図２】回転シリンダを取外した状態の本発明による例示ヘヤースタイリング用具の概略斜視図である。
【図３】Ａ，Ｂ，ＣおよびＤは本発明の例示スムーシングプレートおよびシリンダの概略側面図である。
【図４】図１のヘヤースタイリング用具の例示先端の概略斜視図である。
【図５】スタイリングアームが閉鎖位置にある本発明の例示ヘヤースタイリング用具の側面図である。
【図６】本発明による例示ヘヤースタイリング用具の一部断面を含む概略側面図である。
【図７】本発明による他の例示ヘヤースタイリング用具の側面図である。
【図８Ａ】圧縮可能剛毛が伸張位置にある本発明による例示ヘヤースタイリング用具の先端の部分概略正面図である。
【図８Ｂ】圧縮可能剛毛が収縮位置にある図８Ａの先端の部分概略正面図である。
【図８Ｃ】本発明のヘヤースタイリング用具のスタイリングアームおよびシリンダの側面図である。
【図８Ｄ】剛毛を具備しないスムーシングプレートを有する本発明のヘヤースタイリング用具の先端の概略正面図である。
【図９Ａ】後退可能剛毛が伸張位置にある本発明のヘヤースタイリング用具の先端の概略正面図である。
【図９Ｂ】後退可能剛毛が収縮位置にある図９Ａの先端の概略正面図である。
【図９Ｃ】本発明のヘヤースタイリング用具のブラシヘッドおよびシリンダの側面図である。
【図１０】本発明の他の例示ヘヤースタイリング用具の一部断面を含む側面図である。
【図１１】本発明の他の例示ヘヤースタイリング用具の概略側面図である。
【図１２】スムーシングプレートを一体化した固定した剛毛ブラシヘッドを有する本発明の他の例示ヘヤーブラシの先端の正面図である。
【図１】
2009527338.tif 000003
【図２】
2009527338.tif 000004
【図３Ａ】
2009527338.tif 000005
【図３Ｂ】
2009527338.tif 000006
【図３Ｃ】
2009527338.tif 000007
【図３Ｄ】
2009527338.tif 000008
【図４】
2009527338.tif 000009
【図５】
2009527338.tif 000010
【図６】
2009527338.tif 000011
【図７】
2009527338.tif 000012
【図８Ａ】
2009527338.tif 000013
【図８Ｂ】
2009527338.tif 000014
【図８Ｃ】
2009527338.tif 000015
【図８Ｄ】
2009527338.tif 000016
【図９Ａ】
2009527338.tif 000017
【図９Ｂ】
2009527338.tif 000018
【図９Ｃ】
2009527338.tif 000019
【図１０】
2009527338.tif 000020
【図１１】
2009527338.tif 000021
【図１２】
2009527338.tif 000022
【手続補正書】
【提出日】平成20年10月20日(2008.10.20)
【手続補正１】
【補正対象書類名】特許請求の範囲
【補正対象項目名】全文
【補正方法】変更
【補正の内容】
【特許請求の範囲】
【請求項１】
本体、
前記本体に対して回転可能に前記本体から伸長したシリンダ、
前記シリンダを回転させるモータ、
前記シリンダを加熱するヒータ、および
前記本体に蝶番留めされかつ開放位置と閉鎖位置間で移動可能なスタイリング（styling）アームを含むヘヤースタイリング兼ブラシッグ用具であって、
前記スタイリングアームは、
前記シリンダに概ね対面するスムーシング(smoothing)プレート、および
前記スムーシングプレートから突出し、かつ前記スムーシングプレートに隣接して前記スタイリングアームから概ね前記シリンダへ向かう複数の剛毛を含む、ヘヤースタイリング兼ブラシッグ用具。
【請求項２】
前記スタイリングアームは、前記スタイリングアームを加熱する加熱要素を更に含む、請求項１のヘヤースタイリング兼ブラシッグ用具。
【請求項３】
前記スムーシングプレートは回転不可能である、請求項１または２のヘヤースタイリング兼ブラシッグ用具。
【請求項４】
前記スタイリングアームは、前記シリンダと実質的同程度に湾曲した凹面を有する、請求項１から３のいずれか１のヘヤースタイリング兼ブラシッグ用具。
【請求項５】
前記スタイリングアームは開放位置へ付勢されている、請求項１から４のいずれか１のヘヤースタイリング兼ブラシッグ用具。
【請求項６】
前記ヒータは加熱要素および温風ファンから選択されたいずれか一方である、請求項１から５のいずれか１のヘヤースタイリング兼ブラシッグ用具。
【請求項７】
複数の前記剛毛は可撓性である、請求項１から６のいずれか１のヘヤースタイリング兼ブラシッグ用具。
【請求項８】
前記シリンダはテキスチャ構成の（textured)シリンダである、請求項１から７のいずれか１のヘヤースタイリング兼ブラシッグ用具。
【請求項９】
前記テキスチャ構成のシリンダは溝および孔から選択された一テキスチャを含む、請求項８のヘヤースタイリング兼ブラシッグ用具。
【請求項１０】
前記スタイリングアームが開放位置から閉鎖位置へ向かって移動するときに前記シリンダを回転させるモータを起動するスイッチを更に含む、請求項１から９のいずれか１のヘヤースタイリング兼ブラシッグ用具。
【請求項１１】
複数の前記剛毛は、一対の剛毛セットを形成し、剛毛セットの一つは前記スムーシングプレートのいずれかの側に沿って前記スタイリングアームから伸長している、請求項１から１０のいずれか１のヘヤースタイリング兼ブラシッグ用具。
【請求項１２】
複数の前記剛毛は前記スムーシングプレートに対して回転可能である、請求項１から１１のいずれか１のヘヤースタイリング兼ブラシッグ用具。
【請求項１３】
前記本体は長軸、基端および先端を有し、前記シリンダは前記本体の先端から伸長しかつ細長い前記本体の長軸に整列する長軸を有し、かつ前記スタイリングアームは細長い前記本体の基端近くで前記本体に蝶番留めされ、前記スタイリングアームは開放位置および閉鎖位置において前記本体の長軸を横切る長軸を有する、請求項１から１２のいずれか１のヘヤースタイリング兼ブラシッグ用具。
【請求項１４】
ヘヤースタイリング用具を使用するヘヤースタイリング法であって、
前記ヘヤースタイリング用具が本体、前記本体に対して回転可能でありかつ前記本体から伸長したシリンダ、前記シリンダを加熱するヒータ、および前記本体に蝶番留めされたスタイリングアームを含み、
前記スタイリングアームが、前記シリンダに概ね対面するスムーシング(smoothing)プレート、および前記スムーシングプレートから突出しかつ前記スムーシングプレートの両側で概ね前記シリンダへ向かう複数の剛毛を含み、
前記方法が、
前記ヒータで前記シリンダを加熱し、
前記シリンダとブラシヘッド間に髪の一部を挿入し、
前記シリンダとブラシヘッド間に挿入された髪の一部と共に前記ブラシヘッドを前記シリンダへ向けて動かし、かつ
前記ヘヤースタイリング用具を髪の長さに沿って前進させて、髪を前記シリンダに接触させ、続いて前記スムーシングプレートの第一側の複数の剛毛、前記スムーシングプレート、および前記スムーシングプレートの第二側の複数の剛毛と接触させることを含む、ヘヤースタイリング法。
【請求項１５】
前記スムーシングプレートを加熱することを含む、請求項１４のヘヤースタイリング法。
【国際調査報告】
2009527338.tif 000023